(57)【要約】      （修正有）【課題】燃焼装置への装着作業が簡単で、燃焼装置に対して位置ずれを起こしにくい遮熱板を提供する。【解決手段】遮熱板１は、バーナーの支柱に着脱可能に構成されカセットボンベを覆う遮熱板であって、板状のプレート本体２と、プレート本体２に固定され、支柱に吸着可能な磁石３と、を備える。支柱は金属製であり、プレート本体２の端部には、支柱に嵌合可能な切欠部５が開口され、磁石３は、切欠部５の縁５０の近傍部に設けられている。【選択図】図２
0003227535.tif 000002
【実用新案登録請求の範囲】
【請求項１】
バーナーの支柱に着脱可能に構成され燃料ボンベを覆う遮熱板であって、
板状のプレート本体と、
前記プレート本体に固定され、前記支柱に吸着可能な磁石と、を備え、
前記支柱は金属製であり、
前記プレート本体の端部には、前記支柱に嵌合可能な切欠部が開口され、
前記磁石は、前記切欠部の縁の近傍部に設けられた遮熱板。
【請求項２】
前記切欠部の縁は、Ｕ字形状を有する、
請求項１に記載の遮熱板。
【請求項３】
前記支柱は、円筒状の外周面を有し、
前記切欠部の縁は、第１方向に延びると共に前記第１方向に直交する第２方向に互いに離隔した一対の直線部と、前記一対の直線部の端同士を結ぶ円弧部と、を有し、
前記磁石は、前記切欠部の縁の前記円弧部に沿った湾曲形状を有する、
請求項２に記載の遮熱板。
【請求項４】
前記切欠部の縁における開口側の端部には、湾曲部が設けられた、
請求項２又は３に記載の遮熱板。
【考案の詳細な説明】
【技術分野】
【０００１】
本考案は、遮熱板に関する。
【背景技術】
【０００２】
例えばバーナーやカセットコンロ等の燃焼装置には、燃料が封入されたカセットボンベ（燃料ボンベ）が設けられる。燃焼装置になべやフライパンなどの調理器具を載せると、調理器具からの輻射熱によってカセットボンベが高温になる。従って、カセットボンベが加熱されることを抑制するため、カセットボンベを遮熱板で覆う技術が公知である（例えば、特許文献１参照）。
【先行技術文献】
【特許文献】
【０００３】
【特許文献１】特開２０１９−６０５０１号公報
【考案の概要】
【考案が解決しようとする課題】
【０００４】
しかしながら、特許文献１では、ネジやリベットなどの固着手段で遮熱板を燃焼装置に装着するため、装着作業が面倒であるという問題があった。その一方、固着手段を廃止すると、遮熱板が燃焼装置に対して位置ずれを起こしてしまうという問題があった。
【０００５】
本考案の目的は、燃焼装置への装着作業が簡単で、燃焼装置に対して位置ずれを起こしにくい遮熱板を提供することである。
【課題を解決するための手段】
【０００６】
前述した課題を解決し、目的を達成するために、本考案の一態様に係る遮熱板は、バーナーの支柱に着脱可能に構成され燃料ボンベを覆う遮熱板であって、板状のプレート本体と、前記プレート本体に固定され、前記支柱に吸着可能な磁石と、を備え、前記支柱は金属製であり、前記プレート本体の端部には、前記支柱に嵌合可能な切欠部が開口され、前記磁石は、前記切欠部の縁の近傍部に設けられている。
【考案の効果】
【０００７】
本考案の遮熱板には、バーナーの支柱に嵌合可能な切欠部が開口されているため、バーナーの支柱に遮熱板の切欠部を嵌合させるという簡単な作業で遮熱板を燃焼装置に装着させることができる。また、遮熱板には、切欠部の縁の近傍部に磁石が設けられているため、バーナーの支柱に遮熱板の切欠部を嵌合させた状態では、磁石が支柱に吸着するので、遮熱板がバーナーに対して位置ずれを起こしにくくなる。
【図面の簡単な説明】
【０００８】
【図１】図１は、実施形態による遮熱板を表側から見た平面図である。
【図２】図２は、実施形態による遮熱板を示す図であり、図２（ａ）は遮熱板を裏側から見た背面図、図２（ｂ）は図２（ａ）をＡ方向から見た遮熱板の上面図である。
【図３】図３は、図２（ａ）の一部を拡大した平面図である。
【図４】図４は、実施形態によるバーナーの全体を示す斜視図である。
【図５】図５は、バーナーの一部を示す斜視図である。
【図６】図６は、バーナーを上側から見た平面図である。
【図７】図７は、バーナーの支柱に遮熱板を装着した状態を示す斜視図である。
【考案を実施するための形態】
【０００９】
本考案を実施するための実施形態について、図面を参照しつつ詳細に説明する。以下の実施形態に記載した内容により本考案が限定されるものではない。また、本考案の要旨を逸脱しない範囲で構成の種々の省略、置換又は変更を行うことができる。なお、図面において、Ｘ方向は遮熱板１の短手方向（横方向）、Ｙ方向は遮熱板１の長手方向（縦方向）、Ｚ方向は遮熱板１の厚さ方向である。Ｘ方向とＹ方向とは互いに直交し、Ｚ方向はＸ方向及びＹ方向に直交する。また、Ｙ方向は第１方向とも呼び、Ｘ方向は第２方向とも呼ぶものとする。
【００１０】
図１は、実施形態による遮熱板を表側から見た平面図である。図２は、実施形態による遮熱板を示す図であり、図２（ａ）は遮熱板を裏側から見た背面図、図２（ｂ）は図２（ａ）をＡ方向から見た遮熱板の上面図である。
【００１１】
図１及び図２（ａ）、（ｂ）に示すように、遮熱板１は、板状のプレート本体２と、磁石３と、を備える。
【００１２】
プレート本体２は、平面視において、Ｙ方向（第１方向）に長く延びる長方形の形状を有する。プレート本体２は、平坦部２１と、傾斜部２２、２３と、を備え、例えばステンレス（ＳＵＳ３０４等）の金属製である。平坦部２１は、Ｘ方向（第２方向）且つＹ方向に沿って平坦状に広がっている。平坦部２１のＸ１側には傾斜部２２が設けられる。傾斜部２２は、折れ線部２４で折れ曲がり裏側（Ｚ２側）に向けて斜めに延びている。平坦部２１のＸ２側には傾斜部２３が設けられる。傾斜部２３は、折れ線部２５で折れ曲がり裏側（Ｚ２側）に向けて斜めに延びている。傾斜部２２、２３は、例えばプレスで折り曲げ加工されることによって成形される。傾斜部２２と平坦部２１との傾斜角度は、傾斜部２３と平坦部２１との傾斜角度と同一であり、傾斜部２２と傾斜部２３とは同一形状を有する。
【００１３】
プレート本体２のＹ１側（切欠部５の開口側）の端部には、切欠部５が開口されている。切欠部５の縁５０は、平面視においてＵ字形状を有し、中心線Ｃに対して左右対称である。切欠部５は、全体としてＹ方向（第１方向）に延びている。切欠部５については、詳細に後述する。
【００１４】
磁石３は、プレート本体２の裏面１２にボルト等の締結部材４１、４２を介して固定されている。詳細には、磁石３は、切欠部５の縁５０の近傍部に設けられている。なお、プレート本体２及び磁石３のそれぞれには、２つの貫通孔（図示せず）が設けられ、これらの貫通孔に締結部材４１、４２が挿入及び締結されて磁石３がプレート本体２に固定されている。
【００１５】
図３は、図２（ａ）の一部を拡大した平面図である。切欠部５の縁５０は、第１領域Ｐ１と、第２領域Ｐ２と、第３領域Ｐ３と、第４領域Ｐ４と、第５領域Ｐ５と、を有する。これらの第１領域Ｐ１から第５領域Ｐ５によって、縁５０の全体形状がＵ字形状となり、中心線Ｃに対して左右対称の形状になっている。
【００１６】
第１領域Ｐ１及び第２領域Ｐ２は、切欠部５の縁５０における開口側（Ｙ１側）の端部に配置され、それぞれ湾曲部の形状を有している。湾曲部は、例えば円弧形状であってもよい。第１領域Ｐ１は、端縁２６の端５１から端５２まで延びる。第２領域Ｐ２は、端縁２７の端５３から端５４まで延びる。第１領域Ｐ１は、中心線Ｃに対してＸ１側に位置し、第２領域Ｐ２は、中心線Ｃに対してＸ２側に位置する。
【００１７】
第３領域Ｐ３及び第４領域Ｐ４は、それぞれＹ方向（第１方向）に延びる一対の直線部である。第３領域Ｐ３は、端５２から端５５まで延びる。第４領域Ｐ４は、端５４から端５６まで延びる。第３領域Ｐ３は、中心線Ｃに対してＸ１側に位置し、第４領域Ｐ４は、中心線Ｃに対してＸ２側に位置する。このように、第３領域Ｐ３及び第４領域Ｐ４は、Ｘ方向（第２方向）に互いに離隔して対向している。
【００１８】
第５領域Ｐ５は、半円の形状を有する円弧部である。第５領域Ｐ５は、端５５から端５６まで延びる。即ち、第５領域Ｐ５は、第３領域Ｐ３及び第４領域Ｐ４（一対の直線部）の端同士を結ぶ円弧部である。
【００１９】
磁石３は、全体として切欠部５の縁５０の第５領域Ｐ５（円弧部）に沿った湾曲形状を有する。磁石３の縁は、外周縁３１と、内周縁３２と、側縁３３と、側縁３４と、を有する。外周縁３１は、磁石３の縁のうちＹ２側の縁であって第５領域Ｐ５（円弧部）から最も遠い位置に配置されている。外周縁３１は、端３５から端３６まで延びる。内周縁３２は、磁石３の縁のうちＹ１側の縁であって第５領域Ｐ５（円弧部）に最も近い位置に配置されている。内周縁３２は、端３７から端３８まで延びる。実施形態では、内周縁３２の曲率半径は、第５領域Ｐ５（円弧部）の曲率半径と同一である。ただし、本考案は、これに限定されず、内周縁３２の曲率半径が、第５領域Ｐ５（円弧部）の曲率半径と異なっていてもよい。側縁３３は、磁石３の縁のうち、Ｘ１側の縁である。側縁３３は、端３５から端３７まで延びる直線形状を有する。側縁３４は、磁石３の縁のうち、Ｘ２側の縁である。側縁３４は、端３６から端３８まで延びる直線形状を有する。このように、磁石３の内周縁３２が切欠部５の第５領域Ｐ５（円弧部）に近接して配置されており、磁石３は、切欠部５の縁５０の近傍部に設けられている。
【００２０】
図４は、実施形態によるバーナーの全体を示す斜視図である。図５は、バーナーの一部を示す斜視図である。図６は、バーナーを上側から見た平面図である。図４から図６に示すように、バーナー１００は、脚部１１０と、下側保持部１２０と、支柱１３０と、上側保持部１４０と、火口１５０と、五徳１６０と、を備える。バーナー１００は、燃焼装置とも称する。
【００２１】
脚部１１０は、バーナー１００全体を地面や床面に安定して載置させる機能を有する。脚部１１０は、実施形態では３本設けられ、それぞれの脚部１１０が支柱１３０の中心軸から径方向外側に向けて延びている。
【００２２】
下側保持部１２０は、上下方向に延びる円筒形状を有し、側部には、火力調整つまみ１２１とボンベ接続口１２２とが設けられている。火力調整つまみ１２１は、手指で把持して回転させることにより、火口１５０から出る炎の大きさを可変させる機能を有する。ボンベ接続口１２２には、カセットボンベ（燃料ボンベ）２００が接続される。カセットボンベ２００は円筒状の形状を有し、カセットボンベ２００の中心軸の方向は、支柱１３０の中心軸の方向に対して略直交する。即ち、支柱１３０の中心軸は上下方向（縦方向）に延びるが、カセットボンベ２００の中心軸は水平方向（横方向）に延びる。
【００２３】
支柱１３０は、上下方向（縦方向）に延びて、下側保持部１２０と上側保持部１４０とを連結する。支柱１３０には、図５に示すように、溝部１３４及び貫通孔１３５が設けられている。貫通孔１３５は、円形の形状を有し、横方向に延びている。溝部１３４は、貫通孔１３５の上側に３つ設けられている。具体的には、溝部１３４は、第１溝１３１、第２溝１３２及び第３溝１３３である。下側から上側に向けて第１溝１３１、第２溝１３２及び第３溝１３３が順に配置されている。第１溝１３１、第２溝１３２及び第３溝１３３は、等間隔で上下方向に沿って配置され、第１溝１３１と第２溝１３２との上下距離は、第２溝１３２と第３溝１３３の上下距離と同一である。溝部１３４は、支柱１３０の外周面１３６から支柱１３０の中心軸に向けて凹んでおり、支柱１３０の外周面１３６の全周に亘って周方向に円環状に延びている。従って、溝部１３４の底面の径は、支柱１３０の外周面１３６の径よりも小さい。
【００２４】
上側保持部１４０は、支柱１３０の上側に配置され、内周側に火口１５０が設けられている。火口１５０から炎が排出される。上側保持部１４０は、図６に示すように、上側から見て略正方形の形状を有する。上側保持部１４０は、底部１４１と側部１４２とを備える。底部１４１は、略正方形の形状を有する。底部１４１の径方向外側端から上側に向けて４つの側部１４２が延びている。底部１４１の中央部に火口１５０が配置され、４つの側部１４２によって火口１５０の外周側が覆われているため、上側保持部１４０は、火口１５０の風除けの機能を有する。即ち、外側から火口１５０に向けて風が吹いた場合でも、側部１４２によって火口１５０へ風が当たりにくくなっている。また、図６に示すように、４つの五徳１６０は、上側から見た場合に、それぞれ異なった方向に延びている。具体的には、周方向に隣接する２つの五徳１６０同士は、互いに直交している。
【００２５】
図４に示すように、五徳１６０は、実施形態では４つ設けられ、回転軸１６１を介して上側保持部１４０の側部１４２に回転可能に軸支されている。即ち、五徳１６０の長手方向の一端部１６３が上側保持部１４０の側部１４２に軸支されている。また、回転軸１６１の近傍部にストッパ１６２が固定されている。従って、五徳１６０は、回転軸１６１を中心として他端部１６４が上下方向に回転可能であり、ストッパ１６２によって下側への回転位置が規制されている。
【００２６】
図７に示すように、遮熱板１は、バーナー１００の支柱１３０に装着される。具体的には、支柱１３０の溝部１３４に遮熱板１の切欠部５が嵌合され、磁石３が支柱１３０の外周面１３６に吸着されている。即ち、遮熱板１が磁石３を介してバーナー１００の支柱１３０に吸着されている。図７では、第１溝１３１に切欠部５が嵌合されているが、第２溝１３２又は第３溝１３３に嵌合してもよい。また、カセットボンベ２００を上から覆うように、プレート本体２の傾斜部２２、２３は下側に向けて傾斜している。
【００２７】
次いで、遮熱板１をバーナー１００の支柱１３０に装着する手順を簡単に説明する。まず、遮熱板１をバーナー１００の支柱１３０の溝部１３４の高さに配置する。次に、遮熱板１をＹ方向に移動させ、支柱１３０の溝部１３４に遮熱板１の切欠部５を嵌合させる。この状態では、磁石３が支柱１３０の外周面１３６に近接するため、磁石３を介して遮熱板１がバーナー１００の支柱１３０に強固に吸着される。なお、遮熱板１を取り外す場合は、遮熱板１を支柱１３０から遠ざかる方向に引き抜けばよい。
【００２８】
上記構成を有する実施形態の遮熱板１によれば、以下の作用効果を有する。
【００２９】
実施形態の遮熱板１は、バーナー１００の支柱１３０に着脱可能に構成されカセットボンベ（燃料ボンベ）２００を覆う遮熱板１であって、板状のプレート本体２と、プレート本体２に固定され、支柱１３０に吸着可能な磁石３と、を備え、支柱１３０は金属製であり、プレート本体２の端部には、支柱１３０に嵌合可能な切欠部５が開口され、磁石３は、切欠部５の縁５０の近傍部に設けられている。
【００３０】
遮熱板１には、バーナー１００の支柱１３０に嵌合可能な切欠部５が開口されているため、バーナー１００の支柱１３０に遮熱板１の切欠部５を嵌合させるという簡単な作業で遮熱板１をバーナー１００に装着させることができる。また、遮熱板１には、切欠部５の縁５０の近傍部に磁石３が設けられているため、支柱１３０の溝部１３４に遮熱板１の切欠部５を嵌合させた状態では、磁石３が支柱１３０の外周面１３６に吸着する。即ち、遮熱板１が磁石３を介してバーナー１００の支柱１３０に吸着されるため、バーナー１００に対して遮熱板１が位置ずれを起こしにくくなる。
【００３１】
切欠部５の縁５０は、Ｕ字形状を有する。即ち、本考案の切欠部５は、全体としてＹ方向（第１方向）に延びるＵ字形状であるため、遮熱板１をＹ方向に移動させるという簡単な動作で、切欠部５を支柱１３０の溝部１３４に嵌合させることができる。
【００３２】
前記支柱１３０は、円筒状の外周面１３６を有し、切欠部５の縁５０は、Ｙ方向（第１方向）に延びると共にＸ方向（第２方向）に互いに離隔した第３領域Ｐ３及び第４領域Ｐ４（一対の直線部）と、第３領域Ｐ３及び第４領域Ｐ４の端５５、５６同士を結ぶ第５領域Ｐ５（円弧部）と、を有し、磁石３は、切欠部５の縁５０の第５領域Ｐ５（円弧部）に沿った湾曲形状を有する。
【００３３】
まず、切欠部５の縁５０は、Ｙ方向（第１方向）に延びる第３領域Ｐ３及び第４領域Ｐ４（一対の直線部）を有する。このため、第３領域Ｐ３及び第４領域Ｐ４（一対の直線部）が、遮熱板１をＹ方向に移動させる際のガイドの作用を有する。
【００３４】
次に、支柱１３０は円筒状の外周面１３６を有し、磁石３は切欠部５の第５領域Ｐ５（円弧部）に沿った湾曲形状を有する。従って、支柱１３０の溝部１３４に遮熱板１の切欠部５を嵌合させた状態では、磁石３が支柱１３０の外周面１３６に近接する。よって、磁石３がバーナー１００の支柱１３０に、より強固に吸着される効果を奏する。
【００３５】
切欠部５の縁５０におけるＹ１側（切欠部５の開口側）の端部には、第１領域Ｐ１及び第２領域Ｐ２（湾曲部）が設けられている。これにより、切欠部５の縁５０の入り口近傍の湾曲部が、遮熱板１の切欠部５を支柱１３０へ挿入する際のガイドの機能を果たす。
【符号の説明】
【００３６】
１  遮熱板
２  プレート本体
３  磁石
５  切欠部
５０  縁
５５、５６  端
１００  バーナー
１３０  支柱
２００  カセットボンベ（燃料ボンベ）
Ｐ１  第１領域（湾曲部）
Ｐ２  第２領域（湾曲部）
Ｐ３  第３領域（直線部）
Ｐ４  第４領域（直線部）
Ｐ５  第５領域（円弧部）
【図１】
0003227535.tif 000003
【図２】
0003227535.tif 000004
【図３】
0003227535.tif 000005
【図４】
0003227535.tif 000006
【図５】
0003227535.tif 000007
【図６】
0003227535.tif 000008
【図７】
0003227535.tif 000009